(57)【要約】【課題】  煩雑な操作が不要で取得した情報を一覧して確認することが可能な情報簡易表示装置を実現する。【解決手段】  ネットワーク上に存在するサーバが蓄積している情報を表示させる情報簡易表示装置において、前記ネットワーク上に存在し情報を蓄積している複数のＷｅｂサーバと、これらのＷｅｂサーバから収集した情報を予め設定された条件に基づき選択して編集すると共に表示手段に表示させるコンピュータとを設けることにより、煩雑な操作が不要で取得した情報を一覧して確認することが可能になる。【選択図】                    図１
2005208869.tif 000002
【特許請求の範囲】
【請求項１】
ネットワーク上に存在するサーバが蓄積している情報を表示させる情報簡易表示装置において、
前記ネットワーク上に存在し情報を蓄積している複数のＷｅｂサーバと、
これらのＷｅｂサーバから収集した情報を予め設定された条件に基づき選択して編集すると共に表示手段に表示させるコンピュータと
を備えたことを特徴とする情報簡易表示装置。
【請求項２】
前記コンピュータが、
初期設定として前記情報の収集先である前記Ｗｅｂサーバのアドレスを設定しておき、
前記情報の収集周期に達したと判断した場合に、前記Ｗｅｂサーバから前記ネットワーク経由で情報を収集し、
収集した情報を予め設定された条件に基づき選択して編集すると共に選択・編集した情報を表示手段に表示させることを特徴とする
請求項１記載の情報簡易表示装置。
【請求項３】
前記コンピュータが、
初期設定として前記情報の収集先である前記Ｗｅｂサーバのアドレスを設定しておき、
前記Ｗｅｂサーバから前記ネットワーク経由で情報を収集し、
収集した情報に変更があったと判断した場合に、収集した情報を予め設定された条件に基づき選択して編集すると共に選択・編集した情報を表示手段に表示させることを特徴とする
請求項１記載の情報簡易表示装置。
【請求項４】
ネットワーク上に存在するサーバが蓄積している情報を表示させる情報簡易表示装置において、
前記ネットワーク上に存在し情報を蓄積している複数のＷｅｂサーバと、
これらのＷｅｂサーバから収集した情報を予め設定された条件に基づき選択して編集する簡易表示用Ｗｅｂサーバと、
この簡易表示用Ｗｅｂサーバに前記ネットワーク経由でアクセスして収集した編集された情報を表示手段に表示させるコンピュータと
を備えたことを特徴とする情報簡易表示装置。
【請求項５】
前記簡易表示用Ｗｅｂサーバが、
初期設定として前記情報の収集先である前記Ｗｅｂサーバのアドレスを設定しておき、
前記情報の収集周期に達したと判断した場合に、前記Ｗｅｂサーバから前記ネットワーク経由で情報を収集し、
収集した情報を予め設定された条件に基づき選択して編集することを特徴とする
請求項４記載の情報簡易表示装置。
【請求項６】
前記簡易表示用Ｗｅｂサーバが、
前記コンピュータからの情報の送信要求があったと判断した場合に、先に編集しておいた情報を前記ネットワーク経由で前記コンピュータに送信することを特徴とする
請求項５記載の情報簡易表示装置。
【請求項７】
前記コンピュータが、
初期設定として前記情報の収集先である前記簡易表示用Ｗｅｂサーバのアドレスを設定しておき、
前記情報の収集周期に達したと判断した場合に、前記簡易表示用Ｗｅｂサーバから前記ネットワーク経由で情報を収集し、
収集した情報を表示手段に表示させることを特徴とする
請求項６記載の情報簡易表示装置。
【請求項８】
前記コンピュータが、
初期設定として前記情報の収集先である前記簡易表示用Ｗｅｂサーバのアドレスを設定しておき、
前記簡易表示用Ｗｅｂサーバから前記ネットワーク経由で情報を収集し、
収集した情報に変更があったと判断した場合に、収集した情報を表示手段に表示させることを特徴とする
請求項６記載の情報簡易表示装置。
【請求項９】
ネットワーク上に存在するサーバが蓄積している情報を表示させる情報簡易表示装置において、
前記ネットワーク上に存在し情報を蓄積している複数のＷｅｂサーバと、
簡易表示の条件を保持する簡易表示用Ｗｅｂサーバと、
前記Ｗｅｂサーバから収集した情報を前記簡易表示用Ｗｅｂサーバから取得した前記条件に基づき選択して編集すると共に表示手段に表示させるコンピュータと
を備えたことを特徴とする情報簡易表示装置。
【発明の詳細な説明】
【技術分野】
【０００１】
本発明は、インターネット等のネットワーク上に存在するサーバが蓄積している情報を表示させる情報簡易表示装置に関し、特に複数の情報から特定の情報を選択して表示させることが可能な情報簡易表示装置に関する。
【背景技術】
【０００２】
従来のインターネット等のネットワーク上に存在するサーバが蓄積している情報を表示させる情報簡易表示装置に関連する先行技術文献としては次のようなものがある。
【０００３】
【特許文献１】特開平１１−１３４３４５号公報
【特許文献２】特開平１１−２５９５１７号公報
【特許文献３】特開２００２−０２４２７９号公報
【特許文献４】特開２００２−２９７６２７号公報
【特許文献５】特開２００３−０１６２０５号公報
【特許文献６】特表２００３−５１４２７１号公報
【０００４】
従来、インターネット等のネットワーク上には各種情報を蓄積した複数のサーバが存在し、このような情報は常時更新等されている。ユーザは情報簡易表示装置としてコンピュータ等の機器を用いて上述の個々のサーバに接続して、蓄積されている情報を閲覧することにより、最新の情報を適宜取得することが可能になる。
【０００５】
具体的には、上述のサーバが装備しているＷｅｂサーバにコンピュータ等のインストールされている汎用のＷｅｂブラウザを用いてアクセスして、必要としている情報を取得する。
【０００６】
図１６はこのような従来の情報簡易表示装置の一例を示す構成ブロック図である。図１６において１，２，３及び４は各種情報が蓄積されたＷｅｂサーバ、５は汎用のＷｅｂブラウザがインストールされているコンピュータ、１００はインターネット等のネットワークである。
【０００７】
Ｗｅｂサーバ１，２，３及び４はネットワーク１００にそれぞれ接続され、コンピュータ５もまたネットワーク１００に接続される。
【０００８】
ここで、図１６に示す従来例の動作を図１７を用いて説明する。図１７はコンピュータ５の表示手段に表示される表示画面の一例を示す説明図である。
【０００９】
コンピュータ５はインストールされている汎用のＷｅｂブラウザを用いてＷｅｂサーバ１，２，３及び４に適宜アクセスして必要とする情報を取得して表示画面上に表示させる。
【００１０】
例えば、コンピュータ５は、図１７中”ＤＳ０１”に示す表示画面上に図１７中”ＷＤ０１”に示すようにＷｅｂサーバ１から取得した情報を表示させるウィンドウ画面を表示させ、同様に、図１７中”ＷＤ０２”、”ＷＤ０３”及び”ＷＤ０４”に示すようにＷｅｂサーバ２，３及び４から取得した情報を表示させるウィンドウ画面をそれぞれ表示させる。
【００１１】
例えば、Ｗｅｂサーバ１，２，３及び４が”ニュース”、”経済情報”、”気象情報”及び”その他の情報”を蓄積しているとすれば、図１７中”ＷＤ０１”、”ＷＤ０２”、”ＷＤ０３”及び”ＷＤ０４”に示すウィンドウ画面にはそれぞれ最新の”ニュース”、”経済情報”、”気象情報”及び”その他の情報”が順次表示されることになる。
【００１２】
この結果、ネットワーク上に存在する複数のＷｅｂサーバにＷｅｂブラウザを用いてアクセスして必要な情報を取得し、各Ｗｅｂサーバ毎に取得した情報をそれぞれ複数のウィンドウ画面上に表示させることにより、最新の情報を適宜取得することが可能になる。
【発明の開示】
【発明が解決しようとする課題】
【００１３】
しかし、図１６に示すような従来例では、個々のＷｅｂサーバに対して全てアクセスする操作しなければならず煩雑であり、また、各Ｗｅｂサーバ毎に取得した情報を複数のウィンドウ画面上に表示させているため一覧性に乏しいと言った問題点があった。
【００１４】
また、各ウィンドウ画面上に表示されている情報は必ずしも必須の情報だけから構成されているものではなく、不要な情報や重複した情報が含まれている可能性が高いと言った問題点があった。
【００１５】
また、一般に、Ｗｅｂサーバに蓄積されている情報はＨＴＭＬ（Hyper Text Markup Language）等のデータ形式で保存されており、ＨＴＭＬ文書は複雑な構文構造を有するので、ＨＴＭＬ文書の全ての仕様を解釈して表示手段に表示させるためにはコンピュータ５のスペックもある程度必要となると言った問題点もあった。
従って本発明が解決しようとする課題は、煩雑な操作が不要で取得した情報を一覧して確認することが可能な情報簡易表示装置を実現することにある。
【課題を解決するための手段】
【００１６】
このような課題を達成するために、本発明のうち請求項１記載の発明は、
ネットワーク上に存在するサーバが蓄積している情報を表示させる情報簡易表示装置において、
前記ネットワーク上に存在し情報を蓄積している複数のＷｅｂサーバと、これらのＷｅｂサーバから収集した情報を予め設定された条件に基づき選択して編集すると共に表示手段に表示させるコンピュータとを備えたことにより、煩雑な操作が不要で取得した情報を一覧して確認することが可能になる。
【００１７】
請求項２記載の発明は、
請求項１記載の発明である情報簡易表示装置において、
前記コンピュータが、
初期設定として前記情報の収集先である前記Ｗｅｂサーバのアドレスを設定しておき、前記情報の収集周期に達したと判断した場合に、前記Ｗｅｂサーバから前記ネットワーク経由で情報を収集し、収集した情報を予め設定された条件に基づき選択して編集すると共に選択・編集した情報を表示手段に表示させることにより、煩雑な操作が不要で取得した情報を一覧して確認することが可能になる。
【００１８】
請求項３記載の発明は、
請求項１記載の発明である情報簡易表示装置において、
前記コンピュータが、
初期設定として前記情報の収集先である前記Ｗｅｂサーバのアドレスを設定しておき、前記Ｗｅｂサーバから前記ネットワーク経由で情報を収集し、収集した情報に変更があったと判断した場合に、収集した情報を予め設定された条件に基づき選択して編集すると共に選択・編集した情報を表示手段に表示させることにより、煩雑な操作が不要で取得した情報を一覧して確認することが可能になる。
【００１９】
請求項４記載の発明は、
ネットワーク上に存在するサーバが蓄積している情報を表示させる情報簡易表示装置において、
前記ネットワーク上に存在し情報を蓄積している複数のＷｅｂサーバと、これらのＷｅｂサーバから収集した情報を予め設定された条件に基づき選択して編集する簡易表示用Ｗｅｂサーバと、この簡易表示用Ｗｅｂサーバに前記ネットワーク経由でアクセスして収集した編集された情報を表示手段に表示させるコンピュータとを備えたことにより、煩雑な操作が不要で取得した情報を一覧して確認することが可能になる。
【００２０】
請求項５記載の発明は、
請求項４記載の発明である情報簡易表示装置において、
前記簡易表示用Ｗｅｂサーバが、
初期設定として前記情報の収集先である前記Ｗｅｂサーバのアドレスを設定しておき、前記情報の収集周期に達したと判断した場合に、前記Ｗｅｂサーバから前記ネットワーク経由で情報を収集し、収集した情報を予め設定された条件に基づき選択して編集することにより、煩雑な操作が不要で取得した情報を一覧して確認することが可能になる。
【００２１】
請求項６記載の発明は、
請求項５記載の発明である情報簡易表示装置において、
前記簡易表示用Ｗｅｂサーバが、
前記コンピュータからの情報の送信要求があったと判断した場合に、先に編集しておいた情報を前記ネットワーク経由で前記コンピュータに送信することにより、煩雑な操作が不要で取得した情報を一覧して確認することが可能になる。
【００２２】
請求項７記載の発明は、
請求項６記載の発明である情報簡易表示装置において、
前記コンピュータが、
初期設定として前記情報の収集先である前記簡易表示用Ｗｅｂサーバのアドレスを設定しておき、前記情報の収集周期に達したと判断した場合に、前記簡易表示用Ｗｅｂサーバから前記ネットワーク経由で情報を収集し、収集した情報を表示手段に表示させることにより、煩雑な操作が不要で取得した情報を一覧して確認することが可能になる。
【００２３】
請求項８記載の発明は、
請求項６記載の発明である情報簡易表示装置において、
前記コンピュータが、
初期設定として前記情報の収集先である前記簡易表示用Ｗｅｂサーバのアドレスを設定しておき、前記簡易表示用Ｗｅｂサーバから前記ネットワーク経由で情報を収集し、収集した情報に変更があったと判断した場合に、収集した情報を表示手段に表示させることにより、煩雑な操作が不要で取得した情報を一覧して確認することが可能になる。
【００２４】
請求項９記載の発明は、
ネットワーク上に存在するサーバが蓄積している情報を表示させる情報簡易表示装置において、
前記ネットワーク上に存在し情報を蓄積している複数のＷｅｂサーバと、簡易表示の条件を保持する簡易表示用Ｗｅｂサーバと、前記Ｗｅｂサーバから収集した情報を前記簡易表示用Ｗｅｂサーバから取得した前記条件に基づき選択して編集すると共に表示手段に表示させるコンピュータとを備えたことにより、煩雑な操作が不要で取得した情報を一覧して確認することが可能になる。
【発明の効果】
【００２５】
本発明によれば次のような効果がある。
請求項１，２及び請求項３の発明によれば、コンピュータがネットワーク上に存在するＷｅｂサーバから収集した情報を予め設定された条件に基づき選択して編集すると共に表示手段に表示させることにより、煩雑な操作が不要で取得した情報を一覧して確認することが可能になる。
【００２６】
また、請求項４，５，６，７及び請求項８の発明によれば、簡易表示用Ｗｅｂサーバがネットワーク上に存在するＷｅｂサーバから収集した情報を予め設定された条件に基づき選択して編集し、コンピュータがネットワーク経由で当該簡易表示用Ｗｅｂサーバにアクセスして収集した情報を表示手段に表示させることにより、煩雑な操作が不要で取得した情報を一覧して確認することが可能になる。
【００２７】
また、請求項９の発明によれば、簡易表示用Ｗｅｂサーバで簡易表示の条件を保持しておき、コンピュータがネットワーク上に存在するＷｅｂサーバから収集した情報を、簡易表示用Ｗｅｂサーバから取得した簡易表示の条件に基づき選択して編集すると共に表示手段に表示させることにより、煩雑な操作が不要で取得した情報を一覧して確認することが可能になる。
【発明を実施するための最良の形態】
【００２８】
以下本発明を図面を用いて詳細に説明する。図１は本発明に係る情報簡易表示装置の一実施例を示す構成ブロック図である。図１において１，２，３，４及び１００は図１６と同一符号を付してあり、６は汎用のＷｅｂブラウザがインストールされているコンピュータである。
【００２９】
Ｗｅｂサーバ１，２，３及び４はネットワーク１００にそれぞれ接続され、コンピュータ６もまたネットワーク１００に接続される。
【００３０】
ここで、図１に示す実施例の動作を図２、図３、図４、図５及び図６を用いて説明する。図２及び図６はコンピュータ６の動作を説明するフロー図、図３は情報の流れを説明する説明図、図４は特定の情報の選択を説明する説明図、図５はＨＴＭＬ文書の一例を示す説明図である。
【００３１】
図２中”Ｓ００１”において初期設定として、コンピュータ６は、情報の収集先であるＷｅｂサーバ１〜４のアドレスを設定する。
【００３２】
その後、図２中”Ｓ００２”においてコンピュータ６は、情報の収集周期が到来したか否かを判断し、もし、情報の収集周期に達していないと判断した場合には図２中”Ｓ００２”のステップに戻る。
【００３３】
もし、図２中”Ｓ００２”において情報の収集周期に達したと判断した場合には、図２中”Ｓ００３”においてコンピュータ６は、情報収集先であるＷｅｂサーバ１〜４からネットワーク１００経由で情報を収集する。
【００３４】
例えば、コンピュータ６は、図３中”ＣＤ１１”に示すようにネットワーク１００経由でＷｅｂサーバ１から情報を収集し、同様に、図３中”ＣＤ１２”及び”ＣＤ１３”に示すようにネットワーク１００経由でＷｅｂサーバ２及び４から情報を収集する。
【００３５】
そして、図２中”Ｓ００４”においてコンピュータ６は、収集した情報を予め設定された条件に基づき選択して編集すると共に図３中”Ｓ００５”において選択・編集した情報を表示手段に表示させる。
【００３６】
例えば、図４中”ＩＦ２１”に示すようにＷｅｂサーバ１から”ニュース”を取得し、図４中”ＩＦ２２”及び”ＩＦ２３”に示すようにＷｅｂサーバ２及び４から”経済情報”及び"気象情報”を取得した場合を想定する。
【００３７】
この場合、コンピュータ６は、予め設定された条件に基づき"ニュース”から”初詣の人出昨年並”を選択し、同様に、”経済情報”及び”気象情報”から”日経平均株価”及び”東京の天気”をそれぞれ選択して図４中”ＤＩ２１”に示すような情報に加工すると共に表示手段に表示させる。
【００３８】
また、このように加工された情報（ＨＴＭＬ文書）を全て解釈してから情報を表示するのではなく、ＨＴＭＬ文書から必要な情報を切り出し、若しくは、抽出してテキスト表示等の簡易な形式で表示させる。
【００３９】
すなわち、図５に示すような”気象情報”のＨＴＭＬ文書から、図５中”ＮＩ３１”及び”ＮＩ３３”に示す”東京”及び”１０℃”の文言を切り出し、一方、図５中”ＮＩ３２”に示す情報”ｈａｒｅ．ｇｉｆ”から”晴れ”の情報を抽出する。
【００４０】
また、図２に示すコンピュータ６の動作の説明に際しては情報の収集周期毎にＷｅｂサーバにアクセスして情報の収集、選択・編集を行うことが例示されているが、収集した情報に変更があった場合のみ選択・編集を行っても構わない。
【００４１】
すなわち、図６中”Ｓ１０１”において初期設定として、コンピュータ６は、情報の収集先であるＷｅｂサーバ１〜４のアドレスを設定する。
【００４２】
その後、図６中”Ｓ１０２”においてコンピュータ６は、情報収集先であるＷｅｂサーバ１〜４からネットワーク１００経由で情報を収集する。
【００４３】
そして、図６中”Ｓ１０３”においてコンピュータ６は、収集した情報に変更があったか否かを判断し、もし、収集した情報に変更がなかったと判断した場合には図６中”Ｓ１０２”のステップに戻る。
【００４４】
もし、図６中”Ｓ１０３”において収集した情報に変更があったと判断した場合には、図６中”Ｓ１０４”においてコンピュータ６は、収集した情報を予め設定された条件に基づき選択して編集すると共に図６中”Ｓ１０５”において選択・編集した情報を表示手段に表示させる。
【００４５】
この結果、コンピュータ６がネットワーク１００上に存在するＷｅｂサーバ１〜４から収集した情報を予め設定された条件に基づき選択して編集すると共に表示手段に表示させることにより、煩雑な操作が不要で取得した情報を一覧して確認することが可能になる。
【００４６】
また、情報（ＨＴＭＬ文書）を全て解釈してから情報を表示するのではなく、ＨＴＭＬ文書から必要な情報を切り出し、若しくは、抽出してテキスト表示等の簡易な形式で表示させるので、ＨＴＭＬ文書の全ての仕様を解釈して表示手段に表示させる必要なくなるためコンピュータ６には高いスペックが要求されなくなる。
【００４７】
なお、図１に示す実施例ではコンピュータ６自身が情報収集先であるＷｅｂサーバ１〜４から情報を収集し、選択・編集した情報を表示手段に表示させているが、コンピュータ６とＷｅｂサーバ１〜４との間に情報収集・選択・編集機能を有するサーバを設けても構わない。
【００４８】
図７はこのような本発明に係る情報簡易表示装置の他の実施例を示す構成ブロック図である。図７において１，２，３，４及び１００は図１６と同一符号を付してあり、７は情報収集・選択・編集機能を有する簡易表示用Ｗｅｂサーバ、８は汎用のＷｅｂブラウザがインストールされているコンピュータである。
【００４９】
Ｗｅｂサーバ１，２，３及び４はネットワーク１００にそれぞれ接続され、簡易表示用Ｗｅｂサーバ７及びコンピュータ８もまたネットワーク１００に接続される。
【００５０】
ここで、図７に示す実施例の動作を図８、図９、図１０、図１１、図１２及び図１３を用いて説明する。図８及び図１１は簡易表示用Ｗｅｂサーバ７の動作を説明するフロー図、図９は情報の流れを説明する説明図、図１０は特定の情報の選択を説明する説明図、図１２及び図１３はコンピュータ８の動作を説明するフロー図である。
【００５１】
図８中”Ｓ２０１”において初期設定として、簡易表示用Ｗｅｂサーバ７は、情報の収集先であるＷｅｂサーバ１〜４のアドレスを設定する。
【００５２】
その後、図８中”Ｓ２０２”において簡易表示用Ｗｅｂサーバ７は、情報の収集周期が到来したか否かを判断し、もし、情報の収集周期に達していないと判断した場合には図８中”Ｓ２０２”のステップに戻る。
【００５３】
もし、図８中”Ｓ２０２”において情報の収集周期に達したと判断した場合には、図８中”Ｓ２０３”において簡易表示用Ｗｅｂサーバ７は、情報収集先であるＷｅｂサーバ１〜４からネットワーク１００経由で情報を収集する。
【００５４】
例えば、簡易表示用Ｗｅｂサーバ７は、図９中”ＣＤ４１”に示すようにＷｅｂサーバ１からネットワーク１００経由で情報を収集し、同様に、図９中”ＣＤ４２”及び”ＣＤ４３”に示すようにＷｅｂサーバ２及び４からネットワーク１００経由で情報を収集する。
【００５５】
そして、図８中”Ｓ２０４”において簡易表示用Ｗｅｂサーバ７は、収集した情報を予め設定された条件に基づき選択して編集する。
【００５６】
例えば、図１０中”ＩＦ５１”に示すようにＷｅｂサーバ１から”ニュース”を取得し、図１０中”ＩＦ５２”及び”ＩＦ５３”に示すようにＷｅｂサーバ２及び４から”経済情報”及び"気象情報”を取得した場合を想定する。
【００５７】
この場合、簡易表示用Ｗｅｂサーバ７は、予め設定された条件に基づき"ニュース”から”初詣の人出昨年並”を選択し、同様に、”経済情報”及び”気象情報”から”日経平均株価”及び”東京の天気”をそれぞれ選択して図１０中”ＩＦ５４”に示すような情報に加工する。
【００５８】
また、図１１中”Ｓ３０１”において簡易表示用Ｗｅｂサーバ７は、コンピュータ８からの情報の送信要求があったか否かを判断し、もし、情報の送信要求がなかったと判断した場合には、図１１中”Ｓ３０１”のステップに戻る。
【００５９】
もし、図１１中”Ｓ３０１”において情報の送信要求があったと判断した場合には、図１１中”Ｓ３０２”において簡易表示用Ｗｅｂサーバ７は、先に編集しておいた情報をネットワーク１００経由でコンピュータ８に送信する。
【００６０】
一方、図１２中”Ｓ４０１”において初期設定として、コンピュータ８は、情報の収集先である簡易表示用Ｗｅｂサーバ７のアドレスを設定する。
【００６１】
その後、図１２中”Ｓ４０２”においてコンピュータ８は、情報の収集周期が到来したか否かを判断し、もし、情報の収集周期に達していないと判断した場合には図１２中”Ｓ４０２”のステップに戻る。
【００６２】
もし、図１２中”Ｓ４０２”において情報の収集周期に達したと判断した場合には、図１２中”Ｓ４０３”においてコンピュータ８は、情報収集先である簡易表示用Ｗｅｂサーバ７からネットワーク１００経由で既に加工された情報を収集する。
【００６３】
例えば、コンピュータ８は、図９中”ＳＤ４１”に示すようにネットワーク１００経由で簡易表示用Ｗｅｂサーバ７から情報を収集する。
【００６４】
そして、図１２中”Ｓ４０４”においてコンピュータ８は、収集した情報を表示手段に表示させる。このとき、図１に示す実施例と同様に、簡易表示用Ｗｅｂサーバ７から収集した情報（ＨＴＭＬ文書）を全て解釈してから情報を表示するのではなく、ＨＴＭＬ文書から必要な情報を切り出し、若しくは、抽出してテキスト表示等の簡易な形式で表示させる。
【００６５】
また、図１２に示すコンピュータ８の動作の説明に際しては情報の収集周期毎に簡易表示用Ｗｅｂサーバにアクセスして情報を収集して表示することが例示されているが、収集した情報に変更があった場合のみ表示の更新を行っても構わない。
【００６６】
すなわち、図１３中”Ｓ５０１”において初期設定として、コンピュータ８は、情報の収集先である簡易表示用Ｗｅｂサーバ７のアドレスを設定する。
【００６７】
その後、図１３中”Ｓ５０２”においてコンピュータ８は、情報収集先である簡易表示用Ｗｅｂサーバ７からネットワーク１００経由で情報を収集する。
【００６８】
そして、図１３中”Ｓ５０３”においてコンピュータ８は、収集した情報に変更があったか否かを判断し、もし、収集した情報に変更がなかったと判断した場合には図１３中”Ｓ５０２”のステップに戻る。
【００６９】
もし、図１３中”Ｓ５０３”において収集した情報に変更があったと判断した場合には、図１３中”Ｓ５０４”においてコンピュータ８は、収集した情報を表示手段に表示させて表示の更新を行う。
【００７０】
この結果、簡易表示用Ｗｅｂサーバ７がネットワーク１００上に存在するＷｅｂサーバ１〜４から収集した情報を予め設定された条件に基づき選択して編集し、コンピュータ８がネットワーク１００経由で当該簡易表示用Ｗｅｂサーバ７にアクセスして収集した情報を表示手段に表示させることにより、煩雑な操作が不要で取得した情報を一覧して確認することが可能になる。
【００７１】
また、情報（ＨＴＭＬ文書）を全て解釈してから情報を表示するのではなく、ＨＴＭＬ文書から必要な情報を切り出し、若しくは、抽出してテキスト表示等の簡易な形式で表示させるので、ＨＴＭＬ文書の全ての仕様を解釈して表示手段に表示させる必要なくなるためコンピュータ８には高いスペックが要求されなくなる。
【００７２】
さらに、コンピュータ８においては各Ｗｅｂサーバからの情報の収集や、情報を予め設定された条件に基づき選択して編集する動作が不要になるので、より低いスペックでの動作が可能になる。
【００７３】
また、図５で例示したようにコンピュータ６（若しくは、コンピュータ８）は、加工された情報（ＨＴＭＬ文書）を全て解釈してから情報を表示するのではなく、ＨＴＭＬ文書から必要な情報を切り出し、若しくは、抽出してテキスト表示等の簡易な形式で表示させていた。
【００７４】
すなわち、図５に示すような”気象情報”のＨＴＭＬ文書から、図５中”ＮＩ３１”及び”ＮＩ３３”に示す”東京”及び”１０℃”の文言を切り出し、一方、図５中”ＮＩ３２”に示す情報”ｈａｒｅ．ｇｉｆ”から”晴れ”の情報を抽出していた。
【００７５】
但し、ＨＴＭＬ文書の構造が変更された場合には、コンピュータ６（若しくは、コンピュータ８）に予め設定されている条件では上手く情報を切り出し、若しくは、抽出することが困難になる場合がある。
【００７６】
例えば、図１４は図５に示すＨＴＭＬ文書が変更された場合のＨＴＭＬ文書の一例を示す説明図であり、天気予報の対象地域として”北海道”と”東京”との間の”仙台”が追加され場合を想定している。
【００７７】
すなわち、図１４に示すような”気象情報”のＨＴＭＬ文書から、図１４中”ＮＩ６１”及び”ＮＩ６３”に示す”東京”及び”１０℃”の文言を切り出し、一方、図１４中”ＮＩ６２”に示す情報”ｈａｒｅ．ｇｉｆ”から”晴れ”の情報を抽出する必要性があり、予め設定されている条件では上手く情報を切り出し、若しくは、抽出することができないことになる。
【００７８】
この場合、ネットワーク１００上に存在するＷｅｂサーバ１〜４の蓄積している情報の構造（ＨＴＭＬ文書）に変更があった場合、新たな簡易表示の条件を簡易表示用Ｗｅｂサーバ７に上書きしておくと共にコンピュータ８が後述のように動作することにより、情報を切り出し、若しくは、抽出を正常に行わせることが可能になる。
【００７９】
図１５はコンピュータ８の動作を説明するフロー図であり、この場合には、コンピュータ８自身が情報収集先であるＷｅｂサーバ１〜４から情報を収集し、選択・編集した情報を表示手段に表示させる場合を想定している。
【００８０】
図１５中”Ｓ６０１”において初期設定として、コンピュータ８は、情報の収集先であるＷｅｂサーバ１〜４のアドレスを設定する。
【００８１】
その後、図１５中”Ｓ６０２”においてコンピュータ８は、情報の収集周期が到来したか否かを判断し、もし、情報の収集周期に達していないと判断した場合には図１５中”Ｓ６０２”のステップに戻る。
【００８２】
もし、図１５中”Ｓ６０２”において情報の収集周期に達したと判断した場合には、図１５中”Ｓ６０３”においてコンピュータ８は、簡易表示用Ｗｅｂサーバ７にネットワーク１００経由でアクセスして簡易表示用Ｗｅｂサーバ７に格納されている簡易表示の条件が変更されているか否かを判断する。
【００８３】
もし、図１５中”Ｓ６０３”において簡易表示用Ｗｅｂサーバ７に格納されている簡易表示の条件が変更されていないと判断した場合には図１５中”Ｓ６０５”のステップに進み、簡易表示用Ｗｅｂサーバ７に格納されている簡易表示の条件が変更されたと判断した場合には図１５中”Ｓ６０４”においてコンピュータ８は、簡易表示用Ｗｅｂサーバ７に格納されている新しい簡易表示の条件を取得する。
【００８４】
図１５中”Ｓ６０５”においてコンピュータ８は、情報収集先であるＷｅｂサーバ１〜４からネットワーク１００経由で情報を収集する。
【００８５】
そして、図１５中”Ｓ６０６”においてコンピュータ８は、収集した情報に変更があったか否かを判断し、もし、収集した情報に変更がなかったと判断した場合には図１５中”Ｓ６０２”のステップに戻る。
【００８６】
もし、図１５中”Ｓ６０６”において収集した情報に変更があったと判断した場合には、図１５中”Ｓ６０７”においてコンピュータ８は、収集した情報を先に取得した新しい簡易表示の条件に基づき選択して編集すると共に図１５中”Ｓ６０８”において選択・編集した情報を表示手段に表示させる。
【００８７】
この結果、簡易表示用Ｗｅｂサーバ７で簡易表示の条件を保持しておき、コンピュータ８がネットワーク１００上に存在するＷｅｂサーバ１〜４から収集した情報を、簡易表示用Ｗｅｂサーバ７から取得した簡易表示の条件に基づき選択して編集すると共に表示手段に表示させることにより、煩雑な操作が不要で取得した情報を一覧して確認することが可能になる。
【図面の簡単な説明】
【００８８】
【図１】本発明に係る情報簡易表示装置の一実施例を示す構成ブロック図である。
【図２】コンピュータの動作を説明するフロー図である。
【図３】情報の流れを説明する説明図である。
【図４】特定の情報の選択を説明する説明図である。
【図５】ＨＴＭＬ文書の一例を示す説明図である。
【図６】コンピュータの動作を説明するフロー図である。
【図７】本発明に係る情報簡易表示装置の他の実施例を示す構成ブロック図である。
【図８】簡易表示用Ｗｅｂサーバの動作を説明するフロー図である。
【図９】情報の流れを説明する説明図である。
【図１０】特定の情報の選択を説明する説明図である。
【図１１】簡易表示用Ｗｅｂサーバの動作を説明するフロー図である。
【図１２】コンピュータの動作を説明するフロー図である。
【図１３】コンピュータの動作を説明するフロー図である。
【図１４】図５に示すＨＴＭＬ文書が変更された場合のＨＴＭＬ文書の一例を示す説明図である。
【図１５】コンピュータの動作を説明するフロー図である。
【図１６】従来の情報簡易表示装置の一例を示す構成ブロック図である。
【図１７】コンピュータの表示手段に表示される表示画面の一例を示す説明図である。
【符号の説明】
【００８９】
１，２，３，４  Ｗｅｂサーバ
５，６，８  コンピュータ
７  簡易表示用Ｗｅｂサーバ
１００  ネットワーク
【図１】
2005208869.tif 000003
【図２】
2005208869.tif 000004
【図３】
2005208869.tif 000005
【図４】
2005208869.tif 000006
【図５】
2005208869.tif 000007
【図６】
2005208869.tif 000008
【図７】
2005208869.tif 000009
【図８】
2005208869.tif 000010
【図９】
2005208869.tif 000011
【図１０】
2005208869.tif 000012
【図１１】
2005208869.tif 000013
【図１２】
2005208869.tif 000014
【図１３】
2005208869.tif 000015
【図１４】
2005208869.tif 000016
【図１５】
2005208869.tif 000017
【図１６】
2005208869.tif 000018
【図１７】
2005208869.tif 000019